(57)【要約】【課題】機械錠を持った収納庫に取り付けて電子錠機能を持たせる電子扉錠装置を提供すること。【解決手段】鍵２００を差し込み、回動させることにより施錠、開錠する収納庫用電子扉錠装置において、前記鍵を保持し、該鍵とともに回動するカバー３０１と、電動式駆動源３０３を有し、前記カバーに係合して前記電動式駆動源を作動させ前記カバーを回動させる操作手段３０２と、前記電動式駆動源を作動させる駆動回路３０５と、前記収納庫における前記鍵を差し込むための鍵穴を覆うように取り付けられ、前記カバー、前記操作手段および前記駆動回路を収容する本体とをそなえ、前記鍵を回動させることにより施錠、開錠することを特徴とする収納庫の電子扉錠装置。【選択図】図１
0003119397.tif 000002
【実用新案登録請求の範囲】
【請求項１】
鍵を差し込み、回動させることにより施錠、開錠する収納庫に適用される収納庫用扉錠装置において、
前記鍵を保持し、該鍵とともに回動するカバーと、
電動式駆動源を有し、前記カバーに係合して前記電動式駆動源を作動させ前記カバーを回動させる操作手段と、
前記電動式駆動源を作動させる駆動回路と、
前記収納庫における前記鍵を差し込むための鍵穴を覆うように取り付けられ、前記カバー、前記操作手段および前記駆動回路を収容する本体と
をそなえ、前記鍵を回動させることにより施錠、開錠することを特徴とする収納庫の電子扉錠装置。
【請求項２】
請求項１記載の収納庫用電子扉錠装置において、
前記駆動回路は、電子認証手段を有し、所定の認証要素を検知したとき、前記駆動源を作動させるようにしたことを特徴とする収納庫用電子扉錠装置。
【請求項３】
請求項２記載の収納庫用電子扉錠装置において、
前記電子認証手段は、ＲＦＩＤカードを用いたものであることを特徴とする収納庫用電子扉錠装置。
【請求項４】
請求項１ないし３記載の収納庫用電子扉錠装置において、
前記電動式駆動源および前記駆動回路は、電池を電源とすることを特徴とする収納庫用電子扉錠装置。
【請求項５】
請求項２ないし４記載の収納庫用電子扉錠装置において、
前記電子認証手段は、施錠、開錠のデータを送出する手段を有することを特徴とする収納庫用電子扉錠装置。
【考案の詳細な説明】
【技術分野】
【０００１】
本考案は、鍵を差し込んで施錠および開錠する収納庫に係わり、とくに後付け方式で収納庫に取り付けることにより鍵を操作して施錠、開錠する電子扉錠装置に関する。
【背景技術】
【０００２】
ロッカー、キャビネット、書庫等では、いわゆる鍵と錠との組み合わせにより施錠、開錠する機械錠が一般的である一方、電子装置により施錠、開錠するものも一般化している。これらの収納庫には、書類を収納することが多く、簡単に開錠されないことが必要である。
【考案の開示】
【考案が解決しようとする課題】
【０００３】
ここで、機械錠は、施錠、開錠する基本機能は持っているが、電子錠と比べた場合、その時期が何時であったとか誰が操作したかを記録することはできない点が不十分である。
【０００４】
そこで、既存の機械錠を用いる収納庫を電子錠化する要求が生じている。
【０００５】
本考案は、上述の点を考慮してなされたもので、機械錠を持った収納庫に取り付けて電子錠機能を持たせる電子扉錠装置を提供することを目的とする。
【課題を解決するための手段】
【０００６】
上記目的達成のため、本考案では、
鍵を差し込み、回動させることにより施錠、開錠する収納庫用電子扉錠装置において、
前記鍵を保持し、該鍵とともに回動するカバーと、
電動式駆動源を有し、前記カバーに係合して前記電動式駆動源を作動させ前記カバーを回動させる操作手段と、
前記電動式駆動源を作動させる駆動回路と、
前記収納庫における前記鍵を差し込むための鍵穴を覆うように取り付けられ、前記カバー、前記操作手段および前記駆動回路を収容する本体と
をそなえ、前記鍵を回動させることにより施錠、開錠することを特徴とする収納庫の電子扉錠装置、
を提供するものである。
【考案の効果】
【０００７】
本考案は上述のように、機械錠を有する収納庫に鍵を差し込んでおき、この鍵を電子装置を持った駆動装置により操作して施錠、開錠を行うようにしたため、収納庫に取り付けることにより電子錠を持った収納庫を実現することができる。
【考案を実施するための最良の形態】
【０００８】
以下、添付図面を参照して本考案の実施の形態を説明する。
【実施形態１】
【０００９】
図１は、本考案の適用対象である収納庫を示したもので、図１Ａは収納庫の扉内面を示す斜視図、図１Ｂは同じく扉外面を示す斜視図、図１Ｃは収納庫の扉外面に本考案に係る装置を取り付けた状態を示す斜視図である。
【００１０】
図１Ａおよび図１Ｂに示すように、扉１００にはその開放端側にノブ１０１が設けられており、扉１００の外側からノブ１０１を操作することにより連結棒１０２を介してフック１０３ａ，１０３ｂの収納庫本体（図示せず）に対する係止を解くことにより開扉する。開口１０４は、ノブ１０１を操作するための開口である。
【００１１】
そして、扉１００を収納庫本体に押し付ければ連結棒１０２の周囲に巻装した戻りバネ１０５の作用で、フック１０３ａ，１０３ｂを収納庫本体の端部に係止させて閉扉させる。
【００１２】
扉１００の外面におけるノブ１０１の下方には、鍵穴１０６が設けられており、鍵穴１０６に対応する扉１００の内面にはシリンダ１０６、閂１０７およびストッパ板１０８が設けられている。そして、鍵穴１０６に鍵を差し込み、シリンダ１０６を操作することにより施錠、開錠を行うことができる。
【００１３】
一方、図１Ｂと同じ角度から見た状態を示す図１Ｃでは、鍵穴１０６に鍵２００を差し込むとともに、この鍵２００を回動させるための外付け装置３００を想像線で示している。
【００１４】
図２は、この外付け装置３００の詳細構造を示したもので、図２Ａは側断面図、図２Ｂは同装置を、ケースを取り去って正面方向から見た図である。これら両図から分るように、鍵２００は、外環形状が円筒状のカバー３０１に一体的に保持された状態であり、カバー２００を回動させることにより鍵２００を回動させることができる。
【００１５】
通常、鍵２００は、平板状の頭部と、この頭部に連なり鍵穴に差し込まれる凹凸部とにより構成されている。カバー３０１は、鍵２００の頭部を包み込むように装着されている。したがって、カバー３０１を、その軸線を中心にして回動させれば鍵２００も回動して施錠、および開錠を行うことができる。
【００１６】
そして、カバー３０１を回動させるために、カバー３０１の外周に設けられた歯車構造に噛み合うギア３０２を持ったモータ３０３、およびカバー３０１の外周に設けられた１つの突起を検出する位置検出スイッチ３０４ａ，３０４ｂが配されており、これらモータ３０３および位置検出スイッチ３０４ａ，３０４ｂは駆動回路３０５に接続されている。駆動回路３０５は、電池３０６に接続されており、この電池３０６を電源として作動する。
【００１７】
図３は、駆動回路３０５周りの回路構成を示したものである。この駆動回路３０５の動作を、電子認証手段の一例としてのＲＦＩＤカードによる施錠、開錠動作につき説明する。
【００１８】
いまＲＦＩＤカードが駆動回路３０５の一部として設けられたＲＦＩＤ検出器３０７に翳されると、検出信号が駆動回路３０５に与えられてモータ３０３が回転される。これにより、カバー３０１が回動されてカバー３０１の突起が位置検出スイッチ３０４ｂを離れるとともに鍵２００が回り、開錠（施錠）される。このとき、カバー３０１はほぼ９０度程度回動してもう一つの位置検出スイッチ３０４ａに当接してモータ３０３を停止させる。
【００１９】
この状態でＲＦＩＤカードがＲＦＩＤ検出器３０７に翳されると、駆動回路３０５はモータ３０３を反対方向に回転させ、カバー３０１を反対方向に回動させる。これにより、鍵２００が元の位置に戻り施錠（開錠）される。
【００２０】
このような動作が繰返され、動作の度に、ＲＦＩＤ検出器から、例えば警備システムのコンピュータに施錠、開錠信号が送られてデータが蓄積されていく。
【他の実施形態】
【００２１】
実施形態１では、施錠、開錠を行うのにＲＦＩＤカードを用いたが、これを、ＩＣタグ、携帯電話機を始めとする他の同様な機能を有し得る要素に置き換えることもできる。
【図面の簡単な説明】
【００２２】
【図１】本考案の適用対象である収納庫の扉を示しており、図１Ａは内部側状態を示す図、図１Ｂは外部側状態を示す図、図１Ｃは図１Ｂの状態であって鍵を差し込んだ状態を示す図。
【図２】本考案の一実施例を示す図であり、図２Ａは扉の側断面図、図２Ｂはそれに対応する正面側を露出させて示した図。
【図３】図２の実施例の回路構成を示すブロック線図。
【符号の説明】
【００２３】
１００  扉、１０１  ノブ、１０２  連結棒、１０３  フック、
１０４  開口、１０５  戻りバネ、１０６  シリンダ、１０７  閂、
１０８  ストッパ板、２００  鍵、３００  外付け装置、３０１  カバー、
３０２  ギア、３０３  モータ、３０４  位置検出スイッチ、
３０５  駆動回路、３０６  電池。
【図１】
0003119397.tif 000003
【図２】
0003119397.tif 000004
【図３】
0003119397.tif 000005